(57)【特許請求の範囲】
【請求項１】
壁または床に形成された貫通穴に嵌め込み可能で、流入口、流出口および弁体を有する水栓本体が内蔵された収容部およびこの収容部の前部に設けられる前部材よりなり、この前部材に少なくとも二つの開口を有するとともに、壁または床の裏面側に位置する配管と水栓本体を連通させるために用いられる開口を収容部に有してなるハウジングと、収容部内に設けられ、下流端が前記流入口に接続される一方、上流端が収容部の前記開口を介して配管に接続される継手部材と、前部材の一方の開口に配置され前記流出口から流出可能な水または湯の流量を調整するための流量調整ハンドルと、前記流出口に固定されるとともに前部材の他方の開口に配置され、ホースの上流端に設けられた継手部材が着脱自在である継手部とを備えた水道用コンセントであって、
収容部は、前向き開口を有する有底の円筒ケースで構成されており、前部材は、前面開口を中央に有する板状の当たり部と、この当たり部の裏面側に連設された円筒部とよりなる枠体を有する一方、収容部は、締付座金が螺合するねじ部を後部に有し、前記貫通穴に収容部をはめ込むとともに、その収容部の前記前面開口を介して円筒部を収容部内にはめ込むことにより、壁または床の裏面に前記締付座金が当接する一方、壁または床の表面に前記当たり部が当接する状態で壁または床に設置されるよう構成されており、
さらに、収容部は、水栓本体を収容部内に固定するための水栓本体固定用のねじ孔部と、円筒部を収容部内に固定するための円筒部固定用のねじ孔部を内面に有する一方、水栓本体は、収容部の前記水栓本体固定用のねじ孔部に対応する位置に設けられたねじ孔部を有し、円筒部は、収容部の前記円筒部固定用のねじ孔部に対応する位置に設けられたねじ孔部を円筒部周縁に有し、しかも、円筒部を収容部内に固定するビスは、収容部の前記円筒部固定用のねじ孔部と、収容部の前記円筒部固定用のねじ孔部に対応する位置に設けられた円筒部の前記ねじ孔部間の長さが調整可能に構成されていることを特徴とする水道用コンセント。
【請求項２】
前記水栓本体固定用のねじ孔部は、収容部の内面の中間の高さ位置に設けられた左右一対のねじ孔部であり、前記円筒部固定用のねじ孔部は、収容部の内面における前記左右一対のねじ孔部の上下にそれぞれ左右対象の状態で形成された左右一対の調整用上部ねじ孔部および左右一対の調整用下部ねじ孔部である一方、水栓本体は、前記左右一対のねじ孔部に対応する位置に設けられた左右一対のねじ孔部を有し、円筒部は、前記左右一対の調整用上部ねじ孔部に対応する位置および前記左右一対の調整用下部ねじ孔部に対応する位置にそれぞれ設けられた左右一対の上部ねじ孔部および左右一対の下部ねじ孔部を円筒部周縁に有し、しかも、円筒部を収容部内に固定する前記ビスは、収容部の前記左右一対の調整用上部ねじ孔部と円筒部の左右一対の上部ねじ孔部間、および収容部の前記左右一対の調整用下部ねじ孔部と円筒部の左右一対の下部ねじ孔部間の長さが調整可能に構成されている請求項１に記載の水道用コンセント。
【発明の詳細な説明】
【０００１】
【発明の属する技術分野】
この発明は、例えば台所の流し台に置かれた浄水器、食器洗い機、湯沸器などの機器の給水ホースや、洗濯機の給水ホースへ給水できる以外に、例えば、一戸建て木造住宅の外壁と内壁間に位置する配管内の水を、散水、園芸、洗車等の用途に用いるノズルの給水ホースに給水できる、施工が容易な水道用コンセントに関するものである。
【０００２】
【従来の技術】
本出願人が先に提案（特願２０００−００３４９３号・本出願の出願時点では未公開。）した水道用コンセント（先行例という）Ｄ’は、
（１）図１７、図１８、図１９（Ａ）に示すように、壁Ｗの裏面側に位置する間柱Ｐに対して直接取り付けられたり、
（２）図１９（Ｂ）に示すように、上記の場合より配管の位置が間柱Ｐからずれている場合、間柱Ｐに対して間接的に取り付けられて使用されるのが一般的である。なお、図１９（Ｂ）は、ハウジング１０１のハウジング本体１０３の背面部Ａを、間柱Ｐに固定されたブラケット１０４に取り付ける状態を示している。
【０００３】
そのため、前記先行例の水道用コンセントＤ’のハウジング本体１０３には、取り付けに用いるネジＮが挿通可能なように多数の挿通穴Ｈ，ｈが形成されている。図１８には、水栓本体１１０、ダイヤル型の流量調整ハンドル１１１、流量調整ハンドル１１１の回動操作を弁体に伝達するための伝達機構、更には、水栓本体１１０の流出口に固定される継手部１２等の水栓部材が組み込まれたハウジング本体１０３を示す。
【０００４】
なお、図１７、図１８は、ハウジング本体１０３の、正面から見て左の側壁を間柱Ｐに固定した場合を示し、図１９（Ａ）は、ハウジング本体１０３の左の側面部Ｂを間柱Ｐに固定するとともに、ハウジング本体１０３の上面部Ｃを他の間柱Ｐ’にネジ止めなどで固定した場合を示している。
【０００５】
また、図１７は、ハウジング１０１の前面部１０２が壁Ｗの前面とほぼ面一となるように壁Ｗ内に前記先行例の水道用コンセントＤ’が配置された例を示す。前面部１０２は、ハウジング本体１０３の前面開口Ｓ’’を覆うようにハウジング本体１０３に装着される。ハウジング本体１０３は、ほぼ直方体形状で、上面部Ｃ、下面部Ｐ、背面部Ａ、右側面部Ｅ、左側面部Ｂより構成され、各面部Ｃ，Ｐ，Ａ，Ｅ，Ｂは鉄製あるいはＳＵＳ製の薄板状に形成されている。
【０００６】
更に、図１７〜図１９において、ハウジング本体１０３の両側面部Ｂ，Ｅには、前後方向において自在に位置決め可能なはさみ板１０５がそれぞれ設けられており、前記はさみ板１０５と前記前面部１０２の枠体１０２ｂとで壁Ｗをはさみこむことが可能である。そのため、ハウジング本体１０３の両側面部Ｂ，Ｅには、はさみ板１０５を前後方向にスライド案内させる切欠部１０６ａが形成されている。
【０００７】
すなわち、前記前面部１０２は、開口部Ｓ’が形成された前記枠体１０２ｂと、開口１０６，１０７が形成されている中央部１０２ａとからなり、この中央部１０２ａは前記枠体１０２ｂに開口部Ｓ’を介して着脱自在に装着される。開口１０６には流量調整ハンドル１１１が位置するとともに、開口１０７には継手部１１２が位置する。そして、前記はさみ板１０５が壁Ｗの裏面側に位置するよう前記水栓部材が組み込まれたハウジング本体１０３を壁Ｗに設けた取付用開口Ｓを介して背面部Ａ側から挿通した後、前記枠体１０２ｂを壁Ｗの表面側からハウジング本体１０３に固定して、枠体１０２ｂの裏面部Ｑを壁Ｗの表側の壁面Ｒに当接させ、続いて、前記はさみ板１０５を前後方向に移動させる長ネジ１０６を調節しながら前記はさみ板１０５と前記前面部１０２の枠体１０２ｂとで壁Ｗをはさみこむ。続いて、枠体１０２ｂの開口Ｓ’を覆うように枠体１０２ｂに中央部１０２ａを装着する。
【０００８】
【発明が解決しようとする課題】
（１）前記先行例の水道用コンセントＤ’は、本来、上述したように壁Ｗに形成した取付用開口Ｓに設置するためのものであるけれども、図２０に示すように、複数の型枠４００を組み合わせて形成したコンクリート壁１０７やコンクリートブロックの前面に、前記先行例の水道用コンセントＤ’より大きく、かつ、これに接続される配管１０９が位置できる程度の空洞１０８を設け、この空洞１０８内に前記はさみ板１０５を外した状態のハウジング本体１０３を前面開口Ｓ’’を残して埋め込み、その後、前面部１０２をハウジング本体１０３に装着するタイプの施工も可能である。
【０００９】
この場合、空洞１０８内に前記先行例の水道用コンセントＤ’を位置させた後空洞１０８内に形成される隙間をコンクリートで打設する必要がある。しかし、前記先行例の水道用コンセントＤ’には、上述したように、多数の挿通穴Ｈ，ｈや切欠部１０６ａがハウジング本体１０３に形成されていることから前記挿通穴Ｈ，ｈや切欠部１０６ａからハウジング本体１０３内に打設用（埋め込み用）の前記コンクリートが進入してハウジング本体３内に組み込まれた前記水栓部材を覆うのを防止するため、打設前にハウジング本体１０３を例えばシールテープで覆って前記挿通穴Ｈ，ｈや切欠部１０６ａを塞ぐ作業が必要となる。
【００１０】
ところで、前記ハウジング本体１０３は鉄製であったり、ＳＵＳ製であるけれども、上面部Ｃ、下面部Ｐ、背面部Ａ、右側面部Ｅ、左側面部Ｂの厚みが０．５〜２．０ｍｍと薄いので、打設用の前記コンクリートが固まった後は、ハウジング本体１０３が変形するおそれがある。これは、前記穴Ｈや切欠部１０６ａが形成されたこともあってハウジング本体１０３の強度が弱くなっているからである。そのため、前面部２をハウジング本体１０３に装着し難くなる。
【００１１】
例えば、無理やり前記枠体１０２ｂをハウジング本体１０３に固定できても、中央部１０２ａを枠体１０２ｂにはめ込むと、開口１０６に位置する流量調整ハンドル１１１が動かなくなって操作不能となるおそれがある。
【００１２】
【００１３】
この発明は上述の事柄に留意してなされたもので、その目的は、簡単な施工で従来のようにコンクリートで打設することなく例えばマンション等のコンクリート壁やコンクリートブロックに容易に設置できるとともに、更には  簡単な施工で一戸建てて木造住宅の外壁等に容易に設置できる壁または床取出し用の水道用コンセントを提供することである。
【００１４】
【００１５】
【課題を解決するための手段】
上記目的を達成するために、この発明の水道用コンセントは、壁または床に形成された貫通穴に嵌め込み可能で、流入口、流出口および弁体を有する水栓本体が内蔵された収容部およびこの収容部の前部に設けられる前部材よりなり、この前部材に少なくとも二つの開口を有するとともに、壁または床の裏面側に位置する配管と水栓本体を連通させるために用いられる開口を収容部に有してなるハウジングと、収容部内に設けられ、下流端が前記流入口に接続される一方、上流端が収容部の前記開口を介して配管に接続される継手部材と、前部材の一方の開口に配置され前記流出口から流出可能な水または湯の流量を調整するための流量調整ハンドルと、前記流出口に固定されるとともに前部材の他方の開口に配置され、ホースの上流端に設けられた継手部材が着脱自在である継手部とを備えた水道用コンセントであって、
収容部は、前向き開口を有する有底の円筒ケースで構成されており、前部材は、前面開口を中央に有する板状の当たり部と、この当たり部の裏面側に連設された円筒部とよりなる枠体を有する一方、収容部は、締付座金が螺合するねじ部を後部に有し、前記貫通穴に収容部をはめ込むとともに、その収容部の前記前面開口を介して円筒部を収容部内にはめ込むことにより、壁または床の裏面に前記締付座金が当接する一方、壁または床の表面に前記当たり部が当接する状態で壁または床に設置されるよう構成されており、
さらに、収容部は、水栓本体を収容部内に固定するための水栓本体固定用のねじ孔部と、円筒部を収容部内に固定するための円筒部固定用のねじ孔部を内面に有する一方、水栓本体は、収容部の前記水栓本体固定用のねじ孔部に対応する位置に設けられたねじ孔部を有し、円筒部は、収容部の前記円筒部固定用のねじ孔部に対応する位置に設けられたねじ孔部を円筒部周縁に有し、しかも、円筒部を収容部内に固定するビスは、収容部の前記円筒部固定用のねじ孔部と、収容部の前記円筒部固定用のねじ孔部に対応する位置に設けられた円筒部の前記ねじ孔部間の長さが調整可能に構成されていることを特徴とする（請求項１）。
【００１６】
【００１７】
【００１８】
この発明における壁とは、台所や洗面室等の内壁（例えば特願平１０−７３３７４号明細書、図面、特願２０００−２７８４８９号明細書、図面参照）以外に、例えばマンション用のコンクリート製外壁や、例えば一戸建て用の木造住宅の外壁、あるいは、洗面台、キッチン、水栓付ユニット、介護用ユニットバス等のユニットの側壁等、例えば洗面台ユニットでは洗面台下の収容ボックスの側壁等も含む。
【００１９】
また、この発明における床とは、部屋の床（例えば特願平１０−７３３７４号明細書、図面参照）以外に、例えば台所の流し台の上面部（例えば特願平９−２４９８７１号明細書、図面参照）、洗濯機のパン（例えば特願平１０−３６１５３０号明細書、図面、特願２０００−２８５７６９号明細書、図面参照）等も含む。
【００２０】
【発明の実施の形態】
以下、この発明の実施形態について説明する。
図１、図２、図３（Ａ）および図４は、例えば、一戸建て木造住宅の外壁と内壁間に位置する配管内の水を、散水、園芸、洗車等の用途に用いるノズルの給水ホースに給水するために前記外壁に設置するとともに、３５ｍｍまでの壁厚を有する外壁に設置したこの発明の第１の実施形態を示す。
【００２１】
図１、図２、図３（Ａ）および図４において、１ａは、一戸建て木造住宅の外壁で、例えば３０ｍｍの壁厚ｄ1 を有し、モルタルが塗布されたパネルと板材よりなる。１ｂは、木造住宅の内壁である。そして、外壁１ａおよび内壁１ｂ間に給水配管Ｑが出口開口ｑを上方に向けながら立設している。この給水配管Ｑは、例えば樹脂パイプとこれを覆う蛇腹状の鞘管Ｑ2 よりなる（特願２００１−０１６１４３号明細書、図面参照）。なお、外壁１ａおよび内壁１ｂ間の長さＧは、４０ｍｍに設定されている。
【００２２】
２は、この外壁１ａに形成された貫通穴で、壁厚ｄ1 と同じ長さを有する。この貫通穴２は、例えばホールソー（hole-saw）等の切削用具で形成できる。
【００２３】
３は、前記貫通穴２に嵌め込み可能なハウジングで、水栓本体４が内蔵された収容部５およびこの収容部５の前面に設けられる前部材６よりなる。水栓本体４は、流入口１３、流出口１４および弁体１５を有する。水栓本体４は鋳造品であり、収容部５および前部材６は樹脂製である。
【００２４】
前記前部材６は、正面視円形の前面開口Ａが形成された枠体７および前面開口Ａに取り外し可能に嵌め込み装着される円板状の装着体８の二部材よりなる。装着体８は、上下にそれぞれ同じ大きさの開口９，１０を有する。３８は、装着体８が前面開口Ａに嵌め込まれたときに装着体８の位置を規制する規制片である。前部材６を枠体７と装着体８の二部材に分けたのは、後述する流量調整ハンドル３４および継手部３６のメンテナンスを容易に行うためである。
【００２５】
前記枠体７は、前面開口Ａを中央に有する平面視正方形で板状の当たり部１１と、この当たり部１１の裏面側に連設された、前記外壁１の壁厚ｄ1 よりも短い長さＳ1 を有する円筒部１２とよりなる。この長さＳ1 は、ハウジング３の軸方向（Ｗ方向）に沿った長さであり、壁厚の方向に平行である。３９は、当たり部１１の前面における上端左右に設けた一対のヒンジで、不使用時に、前部材６や後述する流量調整ハンドル３４、継手部３６に雨風や埃がかかるのを防止する樹脂製のカバー５０が上下方向に開閉自在に枢支される。また、当たり部１１は、四隅にビス６１が螺合するビス孔６０を有する。
【００２６】
一方、前記収容部５は、前向き開口Ｂを有する有底の円筒ケースで構成されており、この実施形態では前側（前向き開口Ｂの側）に前記水栓本体４が固定設置されている。そして、収容部５のＷ方向の長さＳ2 はこの実施形態では７５ｍｍに設定されている。また、収容部５は、後側に、配管取り出し用の開口としての下向き開口１６と後向き開口１７と左向き開口１８と右向き開口１９を有する。前記後向き開口１７は、収容部５の背面部分１７ａに形成され、前記下向き開口１６、左向き開口１８および右向き開口１９は、同一円周上に位置している。４０は、樹脂製の締付座金４１が螺合するねじ部である。また、図３（Ａ）および図１に示す４７は、ステンレス製の鞘管取り付け部材で、給水状態を停止するために流量調整ハンドル３４を閉めたときに発生するウォータハンマによって鞘管Ｑ2 の下流端１００が振動し、その振動音による騒音を回避する機能を有する（特願２００１−０１６１４３号明細書、図面参照）。この鞘管取り付け部材４７は、下向き開口１６の直下に位置し、収容部５の下面にスポット溶接されている。
前記締付座金４１は、前部に形成されるリング状のフランジ８９の周縁に複数のねじ孔８８を有し、ビスによりねじ孔８８を介して外壁１ａの裏面ｆにねじ止めされる。  なお、図示はしないが、この実施形態では、収容部５に形成された配管取り出し用の開口のうち下向き開口１６を用いるので、使用しない前記後向き開口１７、左向き開口１８および右向き開口１９は盲栓で塞がれる。
【００２７】
次に、収容部５の前側に収容される水栓本体４の固定手段について説明する。
【００２８】
２０ａ，２０ｂは、それぞれねじ孔２１が形成されたねじ孔部で、収容部５の内面Ｍの中間の高さ位置に左右対象の状態で設けられている。一方、２２ｂは、水栓本体４に設けたねじ孔部で、ねじ孔２２が形成されている。このねじ孔部２２ｂは前記ねじ孔部２０ｂに対応している。そして、図示しないが、水栓本体４におけるねじ孔部２２ｂに対象な位置に、前記ねじ孔部２０ａに対応するねじ孔部（便宜上２２ａとする）が形成されている。よって、水栓本体４を前向き開口Ｂを介して収容部５に収容し、ビス２３を用いてねじ孔部２０ａ，２２ａ同士およびねじ孔部２０ｂ，２２ｂ同士を締付けることにより、容易に水栓本体４を固定できる。
【００２９】
２４は、収容部５内に配置される水栓本体４と給水配管Ｑを接続する継手部材の一例としてのエルボ型取付部材で、収容部５内に配置される。このエルボ型取付部材は、樹脂パイプ内の水を水栓本体４の前記流入口１３に導くためのものである。エルボ型取付部材２４は、前記流入口１３に連通する連通用開口２５を下流端に有し、図示しない接続機構によって樹脂パイプに接続される接続用開口２６を上流端に有する。この実施形態では、下向き開口１６の直下に給水配管Ｑが位置するため、接続用開口２６は下を向いている。一方、連通用開口２５は横向き（Ｗ方向）に開いた流入口１３に連通するため、接続用開口２６の向きと連通用開口２５の向きは直交している。エルボ型取付部材２４は鋳造品である。
【００３０】
そして、ビス２７を用いてねじ孔部２８ａ，２９ａ同士およびねじ孔部２８ｂ，２９ｂ同士を締付けることにより、容易にエルボ型取付部材２４を水栓本体４に固定できる。前記左右のねじ孔部２８ａ，２８ｂは、水栓本体４の流入口１３近傍に設けられ、前記左右のねじ孔部２９ａ，２９ｂは、エルボ型取付部材２４の連通用開口２５近傍に設けられている。
【００３１】
更に、収容部５の内面Ｍには、前記左右一対のねじ孔部２０ａ，２０ｂ以外に、左右二対の調整用ねじ孔部３０ａ，３０ｂおよび３１ａ，３１ｂがそれぞれ上下に形成されている。３０，３１は、ねじ孔である。一方、前部材６の円筒部１２の周縁には、前記ねじ孔部３０ａ，３０ｂおよび３１ａ，３１ｂに対応するねじ孔部４４ａ，４４ｂおよび４５ａ，４５ｂが形成されている。４６は、ねじ孔部同士（３０ａ，３０ｂ、４４ａ，４４ｂ）、ねじ孔部同士（３１ａ，３１ｂ、４５ａ，４５ｂ）を繋ぐ長いビスである。
【００３２】
また、前記水栓本体４は、上下二段に形成されており、上部の背面側に流入口１３を有し、上部の前面側にＷ方向に沿う状態で複数のセレーションｍが形成された回転軸部３２を有し、下部の前面側に流出口１４を有する。
【００３３】
前記円板状の装着体８の開口９には、前記回転軸部３２に装着された樹脂製の流量調整ハンドル３４が前側に突出状態で配置される。流量調整ハンドル３４は、水栓本体４の流出口１４から流出可能な水の流量を調整するためのものである（例えば特願２０００−００３４９３号明細書、図面参照）。
【００３４】
また、３６は、例えば散水、園芸、洗車等の用途に用いるノズルの給水ホース（図示せず）の上流端に設けられた継手部材が着脱自在である継手部（例えば特願２０００−１７０９６７号明細書、図面参照）で、水栓本体４の流出口１４に固定されるとともに前記円板状の装着体８の開口１０に配置される。継手部３６は鍛造品である。
【００３５】
以上の各種構成部材からこの発明の水道用コンセント２００を、３０ｍｍの壁厚ｄ1 を有する木造住宅の外壁１ａに設置するには、外壁１ａに形成された貫通穴２に収容部５をはめ込むとともに、前面開口Ｂを介して枠体７の円筒部１２を収容部５にはめ込む。この場合、外壁１ａは締付座金４１と当たり部１１に挟まれた状態になる。すなわち、外壁１ａの裏面ｆに締付座金４１が当接する一方、外壁１ａの表面Ｆに当たり部１１が当接する。また、長いビス４６で、ねじ孔部同士３０ａ，３０ｂ、４４ａ，４４ｂおよびねじ孔部同士３１ａ，３１ｂ、４５ａ，４５ｂを締付けることにより、枠体７と収容部５を接続固定する。この場合、壁厚ｄ1 が３０ｍｍと薄いので、長いビス４６によって繋がれたねじ孔部同士３０ａ，３０ｂ、４４ａ，４４ｂおよびねじ孔部同士３１ａ，３１ｂ、４５ａ，４５ｂは当接する。
【００３６】
更に、給水配管Ｑの樹脂パイプをナット４９を介してエルボ型取付部材２４の接続用開口２６に接続する。また、ビス６１を用いて外壁１ａの表面Ｆに当たり部１１を固定するとともに、ビスを用いて外壁１ａの裏面ｆに締付座金４１を固定する。
【００３７】
このようにして、この発明の水道用コンセント２００を、簡単な施工で一戸建て木造住宅の外壁１ａに容易に設置できる。
【００３８】
上記実施形態では、外壁１ａの壁厚ｄ1 が３５ｍｍまでの施工例を示した。
【００３９】
図３（Ｂ）および図５は、外壁１ａの壁厚ｄ2 が例えば３５ｍｍ以上で７５ｍｍ以下のように上記実施形態の場合に比して厚くなった場合の施工に適合するこの発明の第２の実施形態を示す。なお、図３（Ｂ）および図５において、図１、図２、図３（Ａ）および図４で示した符号と同一のものは、同一または相当物である。
【００４０】
この実施形態では、上記実施形態で用いた外壁１ａの壁厚ｄ1 よりも壁厚ｄ2 が厚くなっている。この壁厚ｄ2 の外壁１ａは、モルタルが塗布されたパネルと板材の間に例えば断熱材が介装されており、この断熱材の分だけ壁厚ｄ2 が壁厚ｄ1 よりも厚くなっている。すなわち、上記実施形態で用いた外壁１ａの壁厚ｄ1 よりも壁厚ｄ2 が厚くなっているので、水栓本体４が内蔵されている収容部５を長さＰ（例えば１５ｍｍ）だけ後方に移動させる必要がある。そのために長いビス４６を動かして、図３（Ｂ）に示すように、ねじ孔部同士（３０ａ，３０ｂ、４４ａ，４４ｂ）およびねじ孔部同士（３１ａ，３１ｂ、４５ａ，４５ｂ）間の長さ調節を行う。
【００４１】
更に、水栓本体４も長さＰだけ後方に移動するので、その移動分に相当する１５ｍｍの長さを有するスペーサ５０を流量調整ハンドル３４と回転軸部３２間に介装することにより、装着体８の開口９に流量調整ハンドル３４を配置できる。
【００４２】
同様に、継手部３６を装着体８の開口１０に配置するために、移動分に相当する１５ｍｍの長さを有するスペーサ５１を水栓本体４の流出口１４と継手部３６間に介装する。
【００４３】
この実施形態でも、スペーサ５１を用いるだけの容易な施工で水道用コンセント２００を設置できる。なお、図３（Ｂ）も図３（Ａ）も、便宜上、ハウジング６に収容される水栓本体４等を省略してある。
【００４４】
図６、図７および図８（Ａ）は、壁厚ｄ3 が例えば７５ｍｍ以上のように上記各実施形態の場合に比して更に厚くなった例えばマンションの外壁１ａの施工に適合するこの発明の第３の実施形態を示す。なお、図６、図７および図８（Ａ）において、図１〜図５で示した符号と同一のものは、同一または相当物である。
【００４５】
この実施形態では、壁厚ｄ3 を例えば７５ｍｍとする。上述したように収容部５のＷ方向の長さＳ2 は７５ｍｍに設定されている。
【００４６】
そして、この実施形態と上記各実施形態の相違点は、収容部５内に配置される水栓本体４と給水配管Ｑを接続する継手部材の構成だけであるので、他の構成部材の説明は省略する。
【００４７】
２４’は、継手部材の別実施例としての偏心継手で、水栓本体４の流入口１３に連通する連通用開口２５を下流端に有し、配管用エルボ５１を介して樹脂パイプＱ1 に接続される接続用開口２６’を上流端に有する。この場合、樹脂パイプＱ1 は、図示しない接続機構によって配管用エルボ５１の上流端に接続される。この実施形態では、収容部５の下面に形成された下向き開口１６、左向き開口１８および右向き開口１９が外壁１ａに形成された貫通穴２で塞がれるので、収容部５の背面１７ａに形成された後向き開口１７の側から給水配管Ｑに連通させるべく偏心継手２４’が構成されている。すなわち、偏心継手２４’は、背面側に向いた前記接続用開口２６’を後向き開口１７に位置させてなる。つまり、連通用開口２５と同様に接続用開口２６’もＷ方向に向いており、連通用開口２５と接続用開口２６’の位置が上下に長さＶだけ偏心している。
【００４８】
この場合、外壁１ａおよび内壁１ｂ間の長さＧは上記各実施形態と同様に４０ｍｍと狭く、かつ、前記接続用開口２６’は下向きではなく背面側に向いているので、鞘管Ｑ2 は使用不可能であり、給水配管Ｑとして樹脂パイプＱ1 のみを用いている。そして、樹脂パイプＱ1 と偏心継手２４’の接続は、樹脂パイプＱ1 を直接接続用開口２６’に接続できないので、配管用エルボ５１を介して行われる。つまり、偏心継手２４’の前記接続用開口２６’が形成された上流端に形成された雌ねじＵに配管用エルボ５１の雄ねじ（図示せず）が螺合している。
【００４９】
そして、この実施形態では、偏心継手２４’の前記接続用開口２６’が形成された上流端が下向き開口１６ではなく後向き開口１７に位置するとともに、上記第１および第２の各実施形態で示したように、締付座金４１はビス８８ａによりねじ孔８８を介して外壁１ａの裏面ｆにねじ止めされるので、外壁１ａに設置後の水道用コンセント２００のメンテナンスが大変容易に行える利点を有する。すなわち、外壁１ａの表面Ｆに当たり部１１を固定しているビス６１を取り外し、ハウジング３をＷ方向のまわりに回転させることにより雌ねじＵと配管用エルボ５１の雄ねじの螺合が解除され、水栓本体４、偏心継手２４’、流量調整ハンドル３４および継手部３６が収容された状態でハウジング３を貫通穴２から容易に取り出すことができる。なお、前部材６の枠体７から装着体８を取り外すだけで流量調整ハンドル３４および継手部３６のメンテナンスが行えるのは勿論である。
【００５０】
図８（Ｂ）は、上記第３の実施形態と同様、マンションの外壁１ａの施工に適合する例であるが、外壁１ａの表面Ｆと内壁１ｂの前面ｆ’の間隔Ｇ’が３００ｍｍ以上である場合の施工に適合するこの発明の第４の実施形態を示す。なお、図８（Ｂ）において、図１〜図７、図８（Ａ）で示した符号と同一のものは、同一または相当物である。
【００５１】
この実施形態では、外壁１ａの表面Ｆと内壁１ｂの前面ｆ’の間隔Ｇ’が３００ｍｍ以上であるので、給水配管Ｑとして、上記第１、第２実施形態で用いたのと同様の樹脂パイプＱ1 が収容された蛇腹状の鞘管Ｑ2 を使用できる。そして、この実施形態でも、図３（Ａ）および図５で用いたのと同一のステンレス製の鞘管取り付け部材４７を収容部５の背面１７ａにスポット溶接により設置してある。そして、鞘管取り付け部材４７には、図示しない接続用筒状部（例えば特願２００１−０１６１４３号明細書、図面参照）が位置しており、この接続用筒状部における下流端に、偏心継手２４’の前記接続用開口２６’が形成された上流端に形成された雌ねじＵ（図６参照）を介して偏心継手２４’が接続される一方、前記接続用筒状部の上流端に樹脂パイプＱ1 の下流端が接続されている。
【００５２】
そのため、この実施形態でも外壁１ａに設置後の水道用コンセント２００のメンテナンスが大変容易に行える。すなわち、外壁１ａの表面Ｆに当たり部１１を固定しているビス６１を取り外し、ハウジング３を外側に引き抜くだけの簡単な作業で、雌ねじＵに螺合している前記接続用筒状部とともに、この接続用筒状部に接続されている、鞘管Ｑ2 内の樹脂パイプＱ1 だけが鞘管Ｑ2 内を移動し鞘管取り付け部材４７を介して樹脂パイプＱ1 の下流端を外に取り出すことができ、樹脂パイプＱ1 のメンテナンスも行える。
【００５３】
なお、この発明では、給水配管Ｑの設置位置に応じて収容部５に設けた左き開口１８や右向き開口１９からも給水配管Ｑを導入できる利点を有する。
【００５４】
また、給湯器からの湯を配管を介して水道用コンセント２００の供給できるよう構成してもよい。
【００５５】
図９は、図６で示したような偏心継手２４’を備えた水道用コンセント２００を、洗面台ユニットの側壁に取付けてあるこの発明の第５の実施形態を示す。なお、図９において、図１〜図８で示した符号と同一のものは、同一または相当物である。
【００５６】
７０は、洗面台ユニット７１の水栓である。７２ａは、水栓７０の給水配管、７２ｂは、水栓７０の給湯配管である。そして、洗面台ユニット７１に隣接して洗濯機７７が設置されている。
【００５７】
一方、洗面台ユニット７１は、上部に鏡台７１ｂが設置されるとともに下部に前記収納箱７１ａが設置されている。この収納箱７１ａの側壁７３には、図６で示したような偏心継手２４’を備えた水道用コンセント２００が取付けられており、水道用コンセント２００の前記偏心継手２４’（図９には図示されていない）には、水栓７０の給水配管７２ａから分岐用継手７４によって分岐された分岐給水配管７５が接続されている。７６は、洗濯機７７の給水ホースで、この給水ホース７６の上流端に設けられた継手部材７６ａが水道用コンセント２００の継手部３６に着脱自在に接続されている。
【００５８】
前記分岐用継手７４は、従来用いていた分岐用止水栓９９に比してコスト安で、その分洗面台ユニット７１も安価にできる。
【００５９】
図１０は、図１で示したようなエルボ型取付部材２４を備えた水道用コンセント２００を、洗面台ユニット７１の側壁７３に取付けてあるこの発明の第６の実施形態を示す。なお、図１０において、図１〜図９で示した符号と同一のものは、同一または相当物である。
【００６０】
ところで、図３（Ａ）に示した場合のように３０ｍｍの壁厚ｄ1 を有する木造住宅の外壁１ａに水道用コンセント２００を取付けるには、上述したように、枠体７に平面視正方形に形成されている板状の当たり部１１と締付座金４１で挟むことができるが、前記収納箱７１ａの側壁７３は、当たり部１１と締付座金４１とで挟み込み可能な所定範囲の壁厚よりも遙に薄い壁厚を有するので、側壁７３に形成した取付穴（貫通穴）７８に水道用コンセント２００を取付けるにあたり、この実施形態ではスペーサ枠体７９を用いている。このスペーサ枠体７９は、側壁７３の裏面７３ａおよび締付座金４１間に介装されている。
【００６１】
図１１（Ａ）は、ウォータークーラー８０（水栓付ユニットの一例）の一つの側壁８１に図１で示したようなエルボ型取付部材２４を備えた水道用コンセント２００を取付けたこの発明の第７の実施形態を示す。なお、図１１（Ａ）において、図１〜図１０で示した符号と同一のものは、同一または相当物である。
【００６２】
この実施形態でも、水道用コンセント２００の前記エルボ型取付部材〔図１１（Ａ）には図示されていない〕に、ウォータークーラー８０に備わっている水栓８２の給水配管８３から前記第６の実施形態で用いた前記分岐用継手７４によって分岐された分岐給水配管８４が接続されている。８５は、給水ペダル、８６は、ウォータークーラー８０内の空間に収容設置されている熱交換器、８７は、そのポンプである。
【００６３】
図１１（Ｂ）は、システムキッチン（水栓付ユニットの一例）９０の上壁９０ａに縦置き状態にて、図６で示したような偏心継手２４’を備えた水道用コンセント２００を取付けたこの発明の第８の実施形態を示す。なお、図１１（Ｂ）において、図１〜図１０、図１１（Ａ）で示した符号と同一のものは、同一または相当物である。
【００６４】
この実施形態でも、水道用コンセント２００の前記偏心継手〔図１１（Ｂ）には図示されていない〕に、システムキッチン９０に備わっている水栓９１の給水配管９２ａから前記第６、第７の各実施形態で用いた前記分岐用継手７４によって分岐された分岐給水配管９２ｂが接続されている。４００は、システムキッチン９０の上面部に設けたシンク、９２ｃは、水栓９１の給湯配管である。
【００６５】
なお、移動式の介護用浴槽や通常のユニットバス、あるいは、縦断面Ｌ字型の洗濯機のパン等の水栓付ユニットにもこの発明は適用できる。
【００６６】
また、水道用コンセント２００の水栓付ユニットへの設置場所は側壁、上面に限るものではない。
【００６７】
図１２〜図１６は、例えば外壁１ａに対して、外壁１ａの表面Ｘ側からの作業によって外壁１ａを枠体部分７’とホルダー３０１とで挟むことにより、水栓本体４が内蔵されたハウジング３’を外壁１ａに固定することができるようにした参考例を示す。なお、図１２〜図１６において、図１〜図１１で示した符号と同一のものは、同一または相当物である。
【００６８】
この参考例では、図１〜図１１で示した上記各実施形態で用いた前部材６の枠体７と収容部５とを一体に形成するとともに、前部材６’の枠体部分７’とで外壁１ａを挟着するホルダー３０１を設け、図１〜図１１で示した上記各実施形態で用いた締付座金４１を不要にしている。
【００６９】
図１２は、この参考例の各構成部材を示す分解斜視図であり、図１３は、収容部分５’の内面Ｍ’側に形成されている水栓本体取り付け部に水栓本体４が取り付けられている状態と、水栓本体取り付け部に形成されたホルダーガイド挿通孔３０’にホルダーガイド３０２が挿通している状態とを枠体部分７’の前面開口Ａを通して見たものである。
【００７０】
図１４は、流量調整ハンドル３４および継手部３６が配置された水栓本体４と、水栓本体４に接続されている偏心継手２４’とを内蔵してある収容部分５’を有するハウジング３’が、外壁１ａに形成された貫通穴２内にセットされている状態を示す。
【００７１】
図１５は、貫通穴２内にセットされているハウジング３’を下面側から見たものを示す。
【００７２】
図１６はホルダー３０１の動作を示し、図１６（Ａ）は、外壁１ａの表面Ｘ側から収容部分５’を貫通穴２に嵌め込む作業のときにホルダー３０１が邪魔にならないよう内側に閉じているホルダー３０１の第１姿勢（実線で示す）と、ホルダーガイド３０２の回転に伴ってホルダー３０１が外側に開く第２姿勢（二点鎖線）とを収容部分５’の後側の領域４００（図１５参照）に位置しているホルダー３０１で示し、図１６（Ｂ）は、ホルダー３０１の前記第２姿勢を収容部分５’の前側の領域４０１（図１５参照）に位置しているホルダー３０１で示す。
【００７３】
図１２〜図１６において、ハウジング３’は、前側に前記水栓本体４が固定設置され、後側に水栓本体４に接続された偏心継手２４’を有し、横置き状態で配置される有底の筒ケースで構成される収容部分５’と、正面視円形の前面開口Ａが形成された枠体部分７’と、枠体部分７’の前面開口Ａに取り外し可能に嵌め込み装着される円板状の装着体８とで構成される。そして、枠体部分７’と装着体８とで前部材６’が構成される。また、外壁１ａに形成された貫通穴２は、外壁１ａの表面Ｘから裏面Ｙに向かって小径穴部２ａおよび大径穴部２ｂに形成されている。この貫通穴２は、外壁１ａを形成する際に型枠を用いて形成したり、ホールソー（hole-saw）等の切削用具で形成できる。
【００７４】
そして、収容部分５’と枠体部分７’を一体に形成しているので、上記各実施形態で用いた枠体７を収容部５に繋ぐ二つのねじ孔３０および二つのねじ孔３１（図４参照）は不要となる。
ただし、収容部分５’の前側に収容される水栓本体４を収容部分５’にビス２３を用いて固定する際の二つのねじ孔２１は上記各実施形態（図４参照）と同様収容部分５’の内面Ｍ’に形成されている（図１２、図１３参照）。
【００７５】
そして、収容部分５’は内面Ｍ’側に、後述するネジ部材よりなるホルダーガイド３０２が挿通可能な挿通孔３０’（図１２、図１３参照）を有する。
【００７６】
以下、外壁１ａの表面Ｘ側からの作業によって、ハウジング３’を外壁１ａに固定できる機構について説明する。
【００７７】
図１２〜図１６において、３０２は、ネジ部材よりなるホルダーガイドで、工具（図示せず）が嵌合可能な正面視六角形の嵌合溝３０３ａ（図１３参照）が形成された回転操作頭部３０４を有する。このホルダーガイド３０２は、ハウジング３’の収容部分５’および枠体部分７’に対して回転可能なように収容部分５’の前記領域４０１に設けた前記挿通孔３０’に挿通可能である。
【００７８】
３０１は、ホルダーである。このホルダー３０１は、羽根状で所定の厚みを有し、一端にはホルダーガイド３０２が遊嵌可能な大きさの遊嵌孔３０６が形成されている遊嵌孔部３０１ａが設けられている。ホルダー３０１は、貫通穴２の、外壁１ａの表面Ｘ側に位置する小径穴部２ａを通過するよう内側に閉じる第１姿勢と、回転に伴って大径穴部２ｂの後面ｙに係止するよう外側に開く第２姿勢とに、それぞれ切り換え可能に設けられている。
【００７９】
つまり、（１）ホルダー３０１を第１姿勢の状態で、外壁１ａの表面Ｘ側からハウジング３’を小径穴部２ａに通してハウジング３’を図１５の二点鎖線で示すように貫通穴２にセットする。このとき、ホルダー３０１は、図１５において二点鎖線で示すように、また、図１６（Ａ）において実線で示すように第１姿勢を保ち続けている。（２）その後、ホルダーガイド３０２の回転による締付金具３０７（後述する）の螺進に伴って、図１５において実線で示すように、また、図１６（Ｂ）において実線で示すように、あるいは、図１６（Ａ）において二点鎖線で示すように第２姿勢になったホルダー３０１を小径穴部２ａの後面ｙに当接するまで収容部分５’の横溝３１１に沿って外壁１ａの表面Ｘ側に前進させることができる。これにより、図１５に示すように枠体部分７’と外側に開いたホルダー３０１とで外壁１ａを挟着することができ、外壁１ａの表面Ｘ側からの作業によって、ハウジング３’を外壁１ａに固定できることになる。
【００８０】
前記横溝３１１は、収容部分５’は、外周面の左右位置における収容部分５’の前後方向に沿って設けられている。
【００８１】
前記締付金具３０７は、ホルダーガイド３０２が螺着する一対の螺着部３１１，３１１を有する。この螺着部３１１，３１１同士の間隔は、収容部分５’の外径よりも小さく設定されている。そして、締付金具３０７はホルダー３０１の後面側に、かつ、ホルダー３０１の前記遊嵌穴部３０１ａの後面と螺着部３１０の斜めカット面３１０ａとが当接する状態で設けられている。
【００８２】
また、締付金具３０７は、給水配管Ｑとしての樹脂パイプＱ1 、図８に示すような配管用エルボ  （樹脂パイプＱ1 用継手）５１または鞘管取り付け部材（配管取り付け部材）４７の挿通を許容する挿通部３１２を有する。
【００８３】
そして、螺着部３１０にホルダーガイド３０２を螺着し、ホルダーガイド３０２の回転による締付金具３０７の螺進に伴って螺着部３１０に当接したままホルダー３０１は外壁１ａの表面Ｘ側に前進する。
【００８４】
前記ホルダー３０１、ホルダーガイド３０２および締付金具３０７から、外壁１ａの表面Ｘ側からの作業によって、ハウジング３’を外壁１ａに固定するための挟着手段が構成される。
【００８５】
更に、収容部分５’は、外周面に外壁１ａの表面Ｘ側に行くほど外方に拡がるテーパ面部３１５を有する。前記領域４００，４０１の境目で、横溝３１１の直下位置に形成される。このテーパ面部３１５は、ホルダー３０１を支障無く第１姿勢から第２姿勢に移行させるべく機能する。
【００８６】
この参考例では、ホルダー３０１、ホルダーガイド３０２および締付金具３０７よりなる挟着手段を収容部分５’に取り付けたので、壁１ａの裏側にわざわざ回ることなく、壁１ａの表面Ｘ側からの作業によって、ハウジング３’を外壁１ａに取り付けたり、取り外したりでき、施工時間の短縮も図り得るもので、施工性が向上する。
【００８７】
また、ホルダー３０１の前記遊嵌穴部３０１ａの後面と螺着部３１０の斜めカット面３１０ａとが当接させるとともに、収容部分５’の外周面に外壁１ａの表面Ｘ側に行くほど外方に拡がるテーパ面部３１５を設けたので、ホルダー３０１を確実に第２姿勢に切り換えさせることができる。
【００８８】
【発明の効果】
以上説明したようにこの発明によれば、簡単な施工で従来のようにコンクリートで打設することなく例えばマンション等のコンクリート壁やコンクリートブロックに容易に設置できるとともに、更には  簡単な施工で一戸建てて木造住宅の外壁やマンションの外壁等に容易に設置できる壁または床取出し用の水道用コンセントを提供することができる効果がある。
【００８９】
【図面の簡単な説明】
【図１】  この発明の第１の実施形態を示す構成説明図である。
【図２】  上記実施形態を示す分解斜視図である。
【図３】  （Ａ）は、上記実施形態の取り付け状態を説明するための図である。
（Ｂ）は、この発明の第２の実施形態の取り付け状態を説明するための図である。
【図４】  上記第１の実施形態における収容部の縦断面図である。
【図５】  上記第２の実施形態の取り付け状態を説明するための図である。
【図６】  この発明の第３の実施形態を示す構成説明図である。
【図７】  上記第３の実施形態を示す分解斜視図である。
【図８】  （Ａ）は、上記第３の実施形態の取り付け状態を説明するための図である。
（Ｂ）は、この発明の第４の実施形態の取り付け状態を説明するための図である。
【図９】    この発明の第５の実施形態を示す全体斜視図である。
【図１０】    この発明の第６の実施形態を示す構成説明図である。
【図１１】    （Ａ）は、この発明の第７の実施形態を示す斜視図である。
（Ｂ）は、この発明の第８の実施形態を示す斜視図である。
【図１２】  参考例を示す分解斜視図である。
【図１３】  上記参考例において水栓本体が取り付けられている状態と、ホルダーガイド挿通孔にホルダーガイドが挿通している状態とを模式的に示す図である。
【図１４】  上記参考例においてハウジングを壁に固定しうる挟着手段を取り除いた状態を示す構成説明図である。
【図１５】  上記参考例におけるホルダーの第１、第２姿勢状態を示す図である。
【図１６】    （Ａ）は、上記参考例におけるホルダーの第１、第２姿勢状態を示す図である。
（Ｂ）は、上記参考例におけるホルダーの第２姿勢状態を示す図である。
【図１７】  従来例の取り付け状態を説明するための図である。
【図１８】  従来例の取り付け状態を示す分解斜視図である。
【図１９】  （Ａ）は、従来例の取り付け方法を示す要部斜視図である。
（Ｂ）は、従来例の他の取り付け方法を示す要部斜視図である。
【図２０】  従来例のコンクリート壁を示す要部斜視図である。
【符号の説明】
１ａ…外壁、２…貫通穴、３…ハウジング、４…水栓本体、５…収容部、６…前部材、７…枠体、９，１０…開口、１１…板状の当たり部、１２…円筒部、１３…流入口、１４…流出口、１５…弁体、１６…下向き開口、２０ａ，２０ｂ…左右一対のねじ孔部、２２ａ，２２ｂ…左右一対のねじ孔部、２３，４６…ビス、２４…エルボ型取付部材（継手部材）、３０ａ，３０ｂ…左右一対の調整用ねじ孔部、３１ａ，３１ｂ…左右一対の調整用ねじ孔部、３４…流量調整ハンドル、３６…継手部、４０…ねじ部、４１…締付座金、４４ａ，４４ｂ…左右一対のねじ孔部、４５ａ，４５ｂ…左右一対のねじ孔部、Ａ…前面開口、Ｂ…前面開口、ｆ…裏面、Ｆ…表面、Ｍ…内面、Ｓ1 …長さ、Ｑ…給水配管、２００…水道用コンセント。
【図１】
0004520664.tif 000002
【図２】
0004520664.tif 000003
【図３】
0004520664.tif 000004
【図４】
0004520664.tif 000005
【図５】
0004520664.tif 000006
【図６】
0004520664.tif 000007
【図８】
0004520664.tif 000008
【図９】
0004520664.tif 000009
【図１０】
0004520664.tif 000010
【図１１】
0004520664.tif 000011
【図１２】
0004520664.tif 000012
【図１３】
0004520664.tif 000013
【図１４】
0004520664.tif 000014
【図１５】
0004520664.tif 000015
【図１６】
0004520664.tif 000016
【図１７】
0004520664.tif 000017
【図１８】
0004520664.tif 000018
【図１９】
0004520664.tif 000019
【図２０】
0004520664.tif 000020
【図７】
0004520664.tif 000021